(57)【要約】【課題】折り畳み自在のたも網において、たも網として使用する場合、組み立てた網枠の連結およびこの網枠と柄の結合を強固にしてがたつきをなくし、使用感の優れたたも網を得る。【解決手段】折り畳み自在としたたも網の網枠の折り畳み部に嵌入自在のスリーブを装着し、たも網として使用時に該スリーブを網枠の折り畳み部に嵌入定着する。網枠と柄を雌雄一対の結合装置で結合するようにし、結合雄筒と結合雌筒とには常時押圧力を加えた状態にしておく。【選択図】　　図１
2004049191.tif 000002
【特許請求の範囲】
【請求項１】
網枠を折り畳み自在としたたも網において、網枠の折り畳み部に嵌入自在のスリーブを装着し、たも網として使用時には該スリーブを網枠の折り畳み部に嵌入定着するようにしたことを特徴とするたも網。
【請求項２】
網枠の折り畳み部に対する前記スリーブの嵌入定着は螺合によりおこなうようにしたことを特徴とする請求項１記載のたも網。
【請求項３】
網枠を二つ折りにする折り曲げ部には、折り曲げ時に左右の網枠が平行して折り曲がるように継ぎ手片を介装したことを特徴とする請求項１記載のたも網。
【請求項４】
網枠の基部に設けた網枠と柄を結合する雌雄一対の結合装置の結合雌筒には、結合雄筒をその軸方向に常時押圧する押圧片を設けたことを特徴とするたも網。
【発明の詳細な説明】
【０００１】
【発明の属する技術分野】
本発明は、網枠が折り畳み自在でしかも網枠に柄を簡単に着脱できるようにした携帯に便利な魚釣り用のたも網に関する。
【０００２】
【従来の技術】
魚釣り用のたも網において、網枠の径が５０ｃｍ位ともなると持ち運びが不便なので、網枠を折り畳み自在とし、柄を網枠から着脱自在としたものが用いられている。これらの従来技術は、例えば特許第２９４９２３９号、特許第３０１６１９７号、特許第３０８５１０５号、登録実用新案第３０１７９０４号に開示されている。
【０００３】
【発明が解決しようとする課題】
しかしながら上記従来の網枠を折り畳む技術はいずれも網枠を２個あるいは４個に分けてこれらをピンで連結しているのみなので、たも網として使用しようと広げた場合でも隣接する網枠はピンを軸として回転ができる状態にあり、網枠としてしっかりと固定できない欠点がある。特にたも網が大径の場合は網枠の形状がより不安定となって網全体がぐらぐらするといった問題点がある。
【０００４】
また網枠と柄の連結は短時間で着脱できる継ぎ手の構成になっているが、網枠側と柄側の継ぎ手機構は部品のバラツキや繰り返し使用における部品の磨耗で嵌合状態にガタが生じ、前記網枠のぐらつきと相俟ってたも網の使用勝手を非常に悪くするといった問題点がある。
【０００５】
本発明は、折り畳み自在のたも網の網枠相互を使用時にしっかりと固定することのできるたも網の提供を目的とする。
本発明の他の目的は、折り畳み自在のたも網の網枠と柄とを強固に連結することのできるたも網を得ることにある。
【０００６】
【課題を解決するための手段】
上記目的を達成するために、本発明のたも網は、折り畳み自在としたたも網の網枠の折り畳み部に嵌入自在のスリーブを装着しており、たも網として使用時には該スリーブを網枠の折り畳み部に嵌入定着する。この定着は、網枠側に雄螺子を、スリーブの内側に雌螺子をそれぞれ設けておき、これら雌雄の螺子を螺合することによって行う。
【０００７】
網枠を二つ折りにする折り曲げ部には、網枠が２箇所で折り曲がるように継ぎ手片が介装されている。これによって網枠を二つ折りにした場合、折り畳まれた隣接する網枠は平行になる。
【０００８】
網枠の基部には、網枠と柄を結合する雌雄一対の結合装置が設けられており、その結合雌筒には結合雄筒を軸方向に押圧する押圧片が設けられている。
【０００９】
【発明の実施の形態】
上記のように構成されたたも網は、使用時に網枠の折り畳み部にスリーブを嵌入して両者を螺合定着するので、折り畳み部はしっかりと固定される。
また、網枠の基部と柄の結合装置は、使用時に結合雌筒と結合雄筒がその軸方向に常時押圧されているので、両者のがたつきが防止される。
【００１０】
【実施例】
図１は本発明に係るたも網１の使用状態を示す平面図、図２はたも網１の折り畳み状態を示す平面図で、アルミニュームなどのパイプからなる円形状を略４等分した網枠２、３、４、５は折り畳み自在に連結６、７、８されている。図２の実線は網枠の二つ折り時を、矢示Ａはさらに四つ折り（二点鎖線）にする場合の方向を示す。スリーブ９、１０、１１はそれぞれ網枠２、３、４に摺動自由に嵌合している。なお網枠２、３、４、５には網１２が取付けられると共に、その基部には結合装置２１によって長尺の柄２２が結合されている。
【００１１】
図３は網枠３と同４の連結部７の平面図で、網枠３には連結具１３が、網枠４には連結具１４がそれぞれ固定され、また両連結具１３、１４は継ぎ手片１５を介して連結されている。該連結は、連結具１３に設けた凹穴１３ｂに継ぎ手片１５の凸片１５ａを、他方継ぎ手片１５の凹穴１５ｂには連結具１４の凸片１４ａをそれぞれ嵌合し、一対のボルト１６とナット１７で回動自由に止めたものである。
【００１２】
スリーブ１０の内径は前記連結具１３、同１４と継ぎ手片１５の外径よりもやや大きめで、その長さはこれらを十分に覆う寸法である。一方の連結具１３には雄螺子１８が設けられ、これに対応する雌螺子がスリーブ１０の内面（図示略）にきられている。図３において、スリーブ１０を左方に摺動させて連結具１３、継ぎ手片１５、連結具１４を覆った後スリーブ１０を回転させてその雌螺子を連結具１３の雄螺子１８に螺合すると図１の状態になる。
【００１３】
図４は網枠２と同３の連結部６（同８も同構造）の平面図で、網枠２には連結具１３が、網枠３には連結具１４がそれぞれ固定されている。該固定は連結具１３、１４にそれぞれ雌螺子１９を設けて、これに螺子２０を締め付けていき、該螺子２０の先端で網枠２、３を押さえることで行われる。尚この固定は網枠２、３の両側から行ったり、螺子２０の先端が当たる位置の網枠２、３に凹穴を設けておくことによってより強固になる。上記網枠３、同４に対する連結具１３、同１４の固定もこれと同様である。
【００１４】
連結具１３と同１４は上記同様に一対のボルト、ナット１７で回動自由に連結されている。スリーブ９は上記スリーブ１０と同じような構造（継ぎ手片１５のない分短くしている）で、図４においてスリーブ９を左方に摺動して回転すると内面の雌螺子が連結具１３の雄螺子１８に螺合し、図１の状態になる。
【００１５】
図５は網枠２と同５の連結及び柄２２の結合を示す平面図、図６は図５の各部を分解した縦断面図を示し、網枠２には連結部材２３が、網枠５には該連結部材２３と対をなす連結部材２４が上記同様に螺子２０で固定されている。該連結部材２４には結合雄筒２５が螺子２６で固定され、該結合雄筒２５内にはばね２７で外方に弾発された先端部球状の係合突起２８を内装した保持部材２９が嵌合されている。係合突起２８は結合雄筒２５の横孔２５ａに常時嵌入していて、保持部材２９が結合雄筒２５から脱落するのを防いでいる。一方、他の連結部材２３には前記結合雄筒２５と突起２８部を通過する透孔３０が設けられている。
【００１６】
結合雌筒３１には前記係合突起２８が嵌入する横孔３１ａが設けられており、係合突起２８をばね２７の弾発力に抗して少し内方に押して結合雄筒２５に挿入すれば容易に嵌合し、横孔３１ａが係合突起２８に嵌合して結合雌筒３１の自然脱落を防止する。
結合雌筒３１はその下部に柄２２の雌螺子２２ｃに螺合する雄螺子３１ｂを有し、該雄螺子３１ｂには軸方向に上部を細径とした透孔３２が穿たれている。この透孔３２の細径部には鍔付きの押圧片３３が、該押圧片３３には下端を螺子３５で制限止めされたばね３４が当接して弾発力を付与されている。
【００１７】
前記押圧片３３の上端部は結合筒３１内部に突出しており、結合雌筒３１を結合雄筒２５に嵌合すると、ばね３４によって押圧片３３上端が保持部材２９の下面を常時押圧することになり、係合突起２８に対する横穴３１ａのがたつきはなくなり、結合雄筒２５と結合雌筒３１はしっかりと結合される。
【００１８】
【発明の効果】
本発明のたも網は以上のように、折り畳み自在とした網枠の連結部をスリーブで覆い、スリーブをこの連結部に螺合定着するようにしたので、たも網を使用するに際して網枠のがたつきがなくなり、安定しで魚をすくい上ることができる。
【００１９】
更に網枠と柄の結合は、結合雄筒と結合雌筒とを弾発力を付与した押圧片で軸方向に常時押すようにしてあるので網枠と柄のがたつきも防止され、上記強固な網枠と相俟ってたも網を快適に使用することができる。
【００２０】
逆にたも網を不使用時に網枠を折り畳む場合には、継ぎ手片が二つの折り曲げ個所を有するので、両端の網枠が平行に重ねられ、これをさらに折り曲げての小型収納を美麗なものとする。
【図面の簡単な説明】
【図１】本発明のたも網の使用状態を示す平面図である。
【図２】本発明たも網の折り畳み状態を示す平面図である。
【図３】網枠の折り曲げ部の構造を示す平面図である。
【図４】網枠の他の折り曲げ部の構造を示す平面図である。
【図５】網枠と柄の連結部を示す平面図である。
【図６】網枠と柄の結合部を分解した縦断面図である。
【符号の説明】
１　たも網
２、３、４、５　網枠
６、８　連結部
７　連結部
９、１０、１１　スリーブ
１２　網
１３、１４　連結具
１５　継ぎ手片
１６、１７　ボルト、ナット
１８　雄螺子
１９　雌螺子
２０　螺子
２１　結合部
２２　柄
２３、２４　連結部材
２５　結合雄筒
２７　ばね
２８　係合突起
３１　結合雌筒
３２　透孔
３３　押圧片
３４　ばね
３５　螺子
【図１】
2004049191.tif 000003
【図２】
2004049191.tif 000004
【図３】
2004049191.tif 000005
【図４】
2004049191.tif 000006
【図５】
2004049191.tif 000007
【図６】
2004049191.tif 000008